(57)【要約】【課題】複数個が一体化されている毒餌剤容器を分離する際に毒餌剤容器を損傷させることなく、簡単に分離できるようにする。【解決手段】毒餌剤容器１は第１板部１０と第２板部２０とを繋ぐ支柱部３０を備えている。害虫用毒餌剤は、第１板部１０と第２板部２０との間に配置されている。毒餌剤容器集合体Ａは、隣り合う毒餌剤容器１、１の支柱部３０を分離可能に連結する連結部４０、５０を備えている。【選択図】図３
2018061450.tif 000002
【特許請求の範囲】
【請求項１】
害虫に喫食させることによって殺虫効果を発揮する害虫用毒餌剤を収容する複数の毒餌剤容器が互いに連結されて一体化された毒餌剤容器集合体において、
上記毒餌剤容器は、第１板部と、該第１板部から厚み方向に離れて配置される第２板部と、上記第１板部から上記第２板部まで延び、該第１板部と該第２板部とを繋ぐ支柱部とを備え、上記第１板部と上記第２板部との間に開放部が設けられ、
上記害虫用毒餌剤は、上記第１板部と上記第２板部との間に配置され、
上記毒餌剤容器集合体は、隣り合う上記毒餌剤容器の上記支柱部を分離可能に連結する連結部を備えていることを特徴とする毒餌剤容器集合体。
【請求項２】
請求項１に記載の毒餌剤容器集合体において、
上記毒餌剤容器の上記第１板部と上記第２板部とは別部材からなり、
上記支柱部は、上記第１板部に一体成形された第１嵌合部と、上記第２板部に一体成形されて上記第１嵌合部に嵌合する第２嵌合部とを有していることを特徴とする毒餌剤容器集合体。
【請求項３】
請求項２に記載の毒餌剤容器集合体において、
上記第１嵌合部は、上記第２板部側へ向けて突出するとともに突出方向先端部が開口した筒状部で構成され、
上記第２嵌合部は、上記第１板部側へ向けて突出し、上記筒状部に圧入された状態で嵌合する突出部で構成されていることを特徴とする毒餌剤容器集合体。
【請求項４】
請求項３に記載の毒餌剤容器集合体において、
上記連結部は、上記筒状部の外周面と一体化されていることを特徴とする毒餌剤容器集合体。
【請求項５】
請求項３または４に記載の毒餌剤容器集合体において、
上記突出部の基端側は、先端側に比べて大きな断面積を有しており、
上記連結部は、上記突出部の基端側の外周面と一体化されていることを特徴とする毒餌剤容器集合体。
【請求項６】
請求項３から５のいずれか１つに記載の毒餌剤容器集合体において、
上記筒状部の突出方向先端面には、径方向内側へ行くほど該筒状部の基端側に接近するように傾斜する第１傾斜面が形成されていることを特徴とする毒餌剤容器集合体。
【請求項７】
請求項６に記載の毒餌剤容器集合体において、
上記突出部の外周面には、上記第１傾斜面に沿うように延びる第２傾斜面が形成されていることを特徴とする毒餌剤容器集合体。
【発明の詳細な説明】
【技術分野】
【０００１】
本発明は、害虫に喫食させることによって殺虫効果を発揮する害虫用毒餌剤を収容する毒餌剤容器を複数個まとめて一体化した毒餌剤容器集合体に関する。
【背景技術】
【０００２】
例えば匍匐害虫等の駆除を目的として、害虫に喫食させることによって殺虫効果を発揮する害虫用毒餌剤を毒餌剤容器に収容し、該毒餌剤容器を地面や床面等に置いて使用することが行われている（例えば、特許文献１、２参照）。
【０００３】
特許文献１、２の各毒餌剤容器は、地面等に接触する底板部と、底板部から上方に離れて配置される上板部とを備えており、底板部に毒餌剤が載置されるようになっている。また、底板部と上板部との間は、害虫の侵入が可能となるように側方に開放されていて、この容器の側方から害虫が内部に侵入して毒餌剤を喫食するようになっている。
【０００４】
上記毒餌剤容器は、例えば店頭に並んでいる時のように使用開始前は複数個が一体化されている。すなわち、隣り合う毒餌剤容器の底板部同士、及び上板部同士が連結部によって分離可能に連結されていて、使用開始時に連結部を折ることで毒餌剤容器を分離し、それぞれを所望箇所に置いて使用することができるようになっている。
【先行技術文献】
【特許文献】
【０００５】
【特許文献１】特開２０１１−１１５１４３号公報
【特許文献２】特開２０１１−１６８３３９号公報
【発明の概要】
【発明が解決しようとする課題】
【０００６】
ところで、特許文献１、２のように複数の毒餌剤容器を一体化しておくことで、製造時のハンドリング性が良くなるとともに梱包も容易になり、また、運搬時に運搬し易く、さらに店頭での陳列も容易になるというメリットがある。
【０００７】
しかしながら、使用開始する前に使用者が毒餌剤容器を他の毒餌剤容器から分離しようとする際、連結部を引きちぎるように力を加えることが考えられる。連結部を引きちぎるようにした場合、連結部が底板部及び上板部と一体化していて、その底板部及び上板部は肉厚が薄いので連結部を介して力が作用した底板部や上板部が割れたり、変形してしまう恐れがある。
【０００８】
また、毒餌剤容器を分離しようとする際には連結部を折らなければならないので、使用者が隣り合う毒餌剤容器に対してその間を折るように力を作用させる。このとき、底板部及び上板部が互いに上下方向に離れていることから、底板部同士の連結部と、上板部同士の連結部とも互いに上下方向に離れることになり、ちょうど厚肉な板を折るような状況になる。このため、使用者によっては上下の連結部が折れにくいと感じることが考えられる。
【０００９】
本発明は、かかる点に鑑みてなされたものであり、その目的とするところは、複数個が一体化されている毒餌剤容器を分離する際に毒餌剤容器を損傷させることなく、簡単に分離できるようにすることにある。
【課題を解決するための手段】
【００１０】
上記目的を達成するために、本発明では、毒餌剤容器に支柱部を設け、その支柱部同士を連結するようにした。
【００１１】
第１の発明は、害虫に喫食させることによって殺虫効果を発揮する害虫用毒餌剤を収容する複数の毒餌剤容器が互いに連結されて一体化された毒餌剤容器集合体において、上記毒餌剤容器は、第１板部と、該第１板部から厚み方向に離れて配置される第２板部と、上記第１板部から上記第２板部まで延び、該第１板部と該第２板部とを繋ぐ支柱部とを備え、上記第１板部と上記第２板部との間に開放部が設けられ、上記害虫用毒餌剤は、上記第１板部と上記第２板部との間に配置され、上記毒餌剤容器集合体は、隣り合う上記毒餌剤容器の上記支柱部を分離可能に連結する連結部を備えていることを特徴とする。
【００１２】
この構成によれば、隣り合う毒餌剤容器の支柱部同士が連結されることによって複数の毒餌剤容器が一体化されて毒餌剤容器集合体が構成される。このとき、各毒餌剤容器の支柱部は、第１板部と第２板部とを繋ぐものであることから、第１板部や第２板部よりも強度が高い構成となっている。そして、使用開始時に隣り合う毒餌剤容器を分離するときに、連結部を折ったり、引きちぎったりする際に該連結部が支柱部を連結するものなので、支柱部に無理な力が作用することがあるが、支柱部は第１板部や第２板部よりも強度が高いので、亀裂や変形が起こり難く、毒餌剤容器の損傷が抑制される。
【００１３】
また、連結部によって連結される支柱部が第１板部と第２板部との間にあるので、毒餌剤容器の厚み方向の中間部に位置することになる。従って、使用者が隣り合う毒餌剤容器に対して連結部を折るように力を作用させた際に、従来のように厚み方向の両端に連結部がある場合に比べて折れやすくなる。
【００１４】
第２の発明は、第１の発明において、上記毒餌剤容器の上記第１板部と上記第２板部とは別部材からなり、上記支柱部は、上記第１板部に一体成形された第１嵌合部と、上記第２板部に一体成形されて上記第１嵌合部に嵌合する第２嵌合部とを有していることを特徴とする。
【００１５】
この構成によれば、第１嵌合部と第２嵌合部とを嵌合させることによって第１板部と第２板部とが支柱部によって繋がれて一体化する。第１嵌合部と第２嵌合部とが嵌合することで、両嵌合部が強固に結合して一体化することになり、支柱部全体の強度が確保される。したがって、隣り合う毒餌剤容器を分離するときに連結部を介して支柱部に無理な力が作用したとしても、支柱部の変形等がより一層起こり難くなる。
【００１６】
第３の発明は、第２の発明において、上記第１嵌合部は、上記第２板部側へ向けて突出するとともに突出方向先端部が開口した筒状部で構成され、上記第２嵌合部は、上記第１板部側へ向けて突出し、上記筒状部に圧入された状態で嵌合する突出部で構成されていることを特徴とする。
【００１７】
この構成によれば、第１板部の筒状部に第２板部の突出部が圧入されることで、溶着等することなく、第１板部と第２板部とが一体化される。また、筒状部と突出部とのガタつきがなくなるので、支柱部全体の強度が十分に確保され、隣り合う毒餌剤容器を分離するときに支柱部の変形等がより一層起こり難くなる。
【００１８】
第４の発明は、第３の発明において、上記連結部は、上記筒状部の外周面と一体化されていることを特徴とする。
【００１９】
すなわち、筒状部は第１板部から第２板部側へ突出しているので、該筒状部の外周面は第１板部から第２板部側へ連続した面となる。連結部を筒状部の外周面と一体化することで、連結部の位置を第１板部から第２板部の間において自由に設定可能になる。
【００２０】
第５の発明は、第３または４の発明において、上記突出部の基端側は、先端側に比べて大きな断面積を有しており、上記連結部は、上記突出部の基端側の外周面と一体化されていることを特徴とする。
【００２１】
この構成によれば、突出部の基端側の強度が先端側に比べて高まり、この強度の高い部分の外周面に連結部が一体化されているので、隣り合う毒餌剤容器を分離するときに連結部を介して無理な力が作用したとしても、支柱部の変形等がより一層起こり難くなる。
【００２２】
第６の発明は、第３から５のいずれか１つの発明において、上記筒状部の突出方向先端面には、径方向内側へ行くほど該筒状部の基端側に接近するように傾斜する第１傾斜面が形成されていることを特徴とする。
【００２３】
この構成によれば、第２板部の突出部を第１板部の筒状部に嵌合させる際に、突出部の先端が筒状部の中心から多少ずれていたとしても、筒状部の第１傾斜面によって該筒状部の径方向内側へ導かれて突出部と筒状部との相対的な位置が自動的に調整される。
【００２４】
第７の発明は、第６の発明において、上記突出部の外周面には、上記第１傾斜面に沿うように延びる第２傾斜面が形成されていることを特徴とする。
【００２５】
この構成によれば、第２板部の突出部を第１板部の筒状部に嵌合させた状態で、筒状部の第１傾斜面と突出部の第２傾斜面とが接触するようになり、これにより、筒状部に対する突出部の径方向の位置決めが行われる。
【発明の効果】
【００２６】
第１の発明によれば、隣り合う毒餌剤容器の支柱部を連結部によって連結するようにしたので、分離する際に毒餌剤容器の損傷を抑制することができるとともに、分離を簡単に行うことができる。
【００２７】
第２の発明によれば、毒餌剤容器の第１板部に一体成形された第１嵌合部に、第２板部に一体成形された第２嵌合部を嵌合させて強度の高い支柱部を構成することができるので、隣り合う毒餌剤容器を分離するときに連結部を介して支柱部に無理な力が作用した場合に毒餌剤容器の損傷がより一層起こり難くなる。
【００２８】
第３の発明によれば、第１嵌合部を筒状部で構成し、第２嵌合部を筒状部に圧入される突出部で構成したので、溶着等することなく、第１板部と第２板部とを一体化することができる。また、筒状部と突出部とのガタつきがなくなって支柱部全体の強度を十分に確保できるので、隣り合う毒餌剤容器を分離するときに連結部を介して支柱部に無理な力が作用した場合に毒餌剤容器の損傷がより一層起こり難くなる。
【００２９】
第４の発明によれば、連結部を、第１板部から第２板部側へ向けて突出する筒状部の外周面と一体化したので、連結部の位置の設定自由度を高めることができる。
【００３０】
第５の発明によれば、突出部の基端側が先端側に比べて大きな断面積を有しており、連結部が突出部の基端側の外周面と一体化されているので、隣り合う毒餌剤容器を分離するときに連結部を介して支柱部に無理な力が作用した場合に毒餌剤容器の損傷がより一層起こり難くなる。
【００３１】
第６の発明によれば、筒状部の突出方向先端面に、径方向内側へ行くほど該筒状部の基端側に接近するように傾斜する第１傾斜面を形成したので、筒状部の第１傾斜面によって突出部と筒状部との相対的な位置を自動的に調整することができ、第２板部の突出部を第１板部の筒状部に嵌合させる作業を容易に行うことができる。
【００３２】
第７の発明によれば、突出部の外周面に、第１傾斜面に沿うように延びる第２傾斜面を形成したので、第２板部の突出部を第１板部の筒状部に嵌合させた状態で筒状部に対する突出部の径方向の位置決めを行うことができる。
【図面の簡単な説明】
【００３３】
【図１】実施形態に係る毒餌剤容器集合体の斜視図である。
【図２】毒餌剤容器集合体の底面図である。
【図３】図１におけるIII−III線断面図である。
【図４】図３におけるＤ部拡大図である。
【図５】嵌合前の状態を示す図４相当図である。
【図６】第１構成部材を下方から見た斜視図である。
【図７】第２構成部材を上方から見た斜視図である。
【図８】毒餌剤容器を分離した状態を示す図２相当図である。
【発明を実施するための形態】
【００３４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３５】
図１は、本発明の実施形態に係る毒餌剤容器集合体Ａを上方から見た斜視図である。毒餌剤容器集合体Ａは、害虫に喫食させることによって殺虫効果を発揮する害虫用毒餌剤１００（図３に仮想線で示す）を収容する複数の毒餌剤容器１、１、…が互いに連結されて一体化されてなるものである。毒餌剤容器１が殺虫対象とする害虫は、例えばムカデ、アリ、ゴキブリ、ダンゴムシ等の匍匐害虫を挙げることができるが、これらに限られるものではない。
【００３６】
害虫用毒餌剤１００は、従来から周知の毒餌剤を挙げることができ、殺虫対象となる害虫に応じて成分を変更したり、成分量を調整することができる。例えば、ムカデを殺虫対象害虫とする場合には、グラニュー糖及び流動パラフィン等を含む組成するとすることができる。
【００３７】
（毒餌剤容器の構成）
複数の毒餌剤容器１、１、…は基本的には同じものであることから、以下、そのうちの１つについて詳細に説明する。毒餌剤容器１は、第１板部１０と、第１板部１０から厚み方向に離れて配置される第２板部２０と、第１板部１０から第２板部２０まで延び、該第１板部１０と該第２板部２０とを繋ぐ複数の支柱部３０（図２等にも示す）とを備えている。第１板部１０と第２板部２０とは別部材からなる。第１板部１０を構成する部材及び第２板部２０を構成する部材は、それぞれ樹脂材である。
【００３８】
第１板部１０は、毒餌剤容器１の使用時に地面や床面等（以下、地面等という。）から離れた状態で配置される上板部となり、地面等と略平行に配置される。第２板部２０は、毒餌剤容器１の使用時に地面等に置かれる底板部（下板部）となる。尚、毒餌剤容器１の使用時には、上記とは天地反対、即ち、第２板部２０を上板部とし、第１板部１０を底板部として使用してもよい。
【００３９】
第１板部１０は、平面視で六角形状に形成されている。第１板部１０の複数の対角線のうち、最も長い対角線の寸法は例えば３０ｍｍ〜６０ｍｍ程度とすることができるが、この寸法は、殺虫対象の害虫の体長等によって任意に設定することができる。第１板部１０の少なくとも１つの角１０ａは略直角となるように形成されている。この略直角な角１０ａは、例えば部屋の隅に毒餌剤容器１を置いて使用する際に、第１板部１０の少なくとも２辺が部屋の隅に密着するようにするためのものである。
【００４０】
図６に示すように、第１板部１０における第２板部２０側の面１０ｂの外周部には、該面１０ｂの縁に行くほど第１板部１０が薄くなるように傾斜した傾斜面１１が形成されている。第１板部１０の面１０ｂの略中央部には、第２板部２０側へ突出する凸部１２が形成されている。また、第１板部１０の面１０ｂにおける凸部１２の周りには、該凸部１２を囲むように円環状に延びる突条部１３が形成されている。突条部１３の断面は、第２板部２０側に頂点が位置する三角形とされている。
【００４１】
図１に示すように、第１板部１０における面１０ｂとは反対側の面１０ｃには、複数の溝１４、１４、１４が形成されている。溝１４、１４、１４は、第１板部１０の面１０ｃの縁から該面１０ｃの内方へ向かって直線状に延びている。溝１４、１４、１４の延びる方向は互いに異なっている。また、溝１４、１４、１４は互いに交差しないように延びている。
【００４２】
第２板部２０の外形状は第１板部１０の外形状と同じであり、平面視で六角形状とされている。第２板部２０は、平面視で第１板部１０と一致するように配置される。従って、第２板部２０の略直角な角２０ａと、第１板部１０の略直角な角１０ａとは一致する。
【００４３】
第２板部２０における第１板部１０側の面２０ｂの外周部には、該面２０ｂの縁に行くほど第２板部２０が薄くなるように傾斜した傾斜面２１が形成されている。図７に示すように、第２板部２０の面２０ｂには、第１板部１０と同様に凸部２２と突条部２３とが形成されている。
【００４４】
図２に示すように、第２板部２０における面２０ｂとは反対側の面２０ｃには、第１板部１０と同様に複数の溝２４、２４、２４が形成されている。
【００４５】
図３に仮想線で示すように、害虫用毒餌剤１００は、第１板部１０と第２板部２０との間に配置される。具体的には、害虫用毒餌剤１００は、第１板部１０の突条部１３の内方及び第２板部２０の突条部２３の内方に配置されて、第１板部１０の面１０ｂと第２板部２０の面２０ｂとで挟まれて保持される。
【００４６】
第１板部１０と第２板部２０とが同じ形状であることから、第１板部１０を下板部として使用した場合と、第２板部２０を下板部として使用した場合とで、外観が一緒になる。また、害虫の近づきやすさ、言い換えると害虫の忌避しにくさについても、どちらを下にして使用した場合も同じになる。
【００４７】
図２に破線で示すように、支柱部３０は、１つの毒餌剤容器１に４つ設けられている。支柱部３０は、第１板部１０と第２板部２０の角同士を繋ぐように位置付けられている。支柱部３０の長さによって第１板部１０と第２板部２０の離間距離を設定することができ、この実施形態では、第１板部１０と第２板部２０の間に、害虫の侵入を許容する大きさの開放部Ｓ（図１に示す）が形成されるように、支柱部３０の長さを設定している。害虫の体長によっては、開放部Ｓから頭だけ、または頭と胴体の一部だけしか毒餌剤容器１の内部に入らない場合があるが、開放部Ｓ及び第１板部１０と第２板部２０の大きさは、少なくとも害虫の口が害虫用毒餌剤１００に到達することができる程度に設定されていればよい。
【００４８】
図４及び図５に示すように、支柱部３０は、第１板部１０に一体成形された第１嵌合部３１と、第２板部２０に一体成形されて第１嵌合部３１に嵌合する第２嵌合部３２とを有している。第１嵌合部３１は、第２板部２０側へ向けて突出するとともに突出方向先端部が開口した筒状部で構成されている。また、第２嵌合部３１は、第１板部１０側へ向けて突出し、第２嵌合部３２に圧入された状態で嵌合する突出部で構成されている。
【００４９】
第１嵌合部３１は略円筒状をなしている。第１嵌合部３１の周壁部の厚みは、第１板部１０及び第２板部２０の厚みと略同程度とされているが、第１嵌合部３１は円筒状であることから第１板部１０や第２板部２０に比べて高い強度を持っており、座屈方向についてはもちろんのこと、径方向に外力が作用した場合も第１嵌合部３１及びその近傍の変形が抑制される。
【００５０】
第１嵌合部３１の突出方向先端面には、径方向内側へ行くほど該第１嵌合部３１の基端側に接近するように傾斜するテーパー状の第１傾斜面３１ａが該第１嵌合部３１の全周に亘って連続して形成されている。
【００５１】
第２嵌合部３２は、第１嵌合部３１に圧入される先端側部３２ａと、第１嵌合部３１に圧入されない基端側部３２ｂとを備えており、基端側部３２ｂは先端側部３２ａに比べて大きな断面積を有している。第２嵌合部３２の基端側部３２ｂの断面は円形断面とされている。基端側部３２ｂの外径は第１嵌合部３１の外径と略同じに設定されており、中実である。従って、第２嵌合部３２の基端側部３２ｂは第１板部１０や第２板部２０に比べて高い強度を持っており、座屈方向についてはもちろんのこと、径方向に外力が作用した場合も基端側部３２ｂ及びその近傍の変形が抑制される。
【００５２】
第２嵌合部３２の先端側部３２ａは、基端側部３２ｂの中心部から突出する柱状に形成されていて、その断面は円形断面とされている。先端側部３２ａの外径は、第１嵌合部３１への圧入前の状態で、該第１嵌合部３１の内径よりも若干大きめに設定されている。これにより、第２嵌合部３２の先端側部３２ａを第１嵌合部３１に挿入すると先端側部３２ａが第１嵌合部３１に圧入された状態になる。また、第２嵌合部３２の先端側部３２ａの先端部は、先細に成形されている。尚、第２嵌合部３２の先端側部３２ａを第１嵌合部３１に完全に圧入した状態では、先端側部３２ａの先端部が第１板部１０側に当接しないように、先端側部３２ａの長さが設定されている。
【００５３】
第２嵌合部３２の外周面には、先端側部３２ａと基端側部３２ｂとの境界部分に、第１傾斜面３１ａに沿うように延びる第２傾斜面３２ｃが形成されている。第２傾斜面３２ｃは、径方向外側へ行くほど第２嵌合部３２の突出方向基端側に接近するように傾斜しており、該第２嵌合部３２の全周に亘って連続して形成されている。第２嵌合部３２の先端側部３２ａを第１嵌合部３１に圧入していくと、第１傾斜面３１ａと第２傾斜面３２ｃとが当接することによって圧入動作が停止されるようになっている。つまり、第１傾斜面３１ａと第２傾斜面３２ｃは互いに当接して圧入動作を停止させるストッパとして機能する。尚、第１傾斜面３１ａと第２傾斜面３２ｃは互いに当接させなくてもよい。
【００５４】
（毒餌剤容器集合体の構成）
毒餌剤容器集合体Ａは、上述したように複数の毒餌剤容器１、１、…を備えるとともに、隣り合う毒餌剤容器１、１の支柱部３０、３０を分離可能に連結する第１連結部４０及び第２連結部５０も備えている。この実施形態では、図１及び図２に示すように、毒餌剤容器１が８個連結されることによって毒餌剤容器集合体Ａとなっているが、これに限らず、図示しないが、毒餌剤容器１を２つ以上の任意の数だけ連結して毒餌剤容器集合体Ａを構成することができる。また、毒餌剤容器１の並びについても任意に設定することができ、全体として細長い形状となるように毒餌剤容器１を並べてもよいし、正方向に近い形状となるように毒餌剤容器１を並べてもよい。
【００５５】
第１連結部４０は、第１嵌合部３１の外周面と一体化されている。すなわち、図４に示すように、毒餌剤容器集合体Ａを構成する任意の毒餌剤容器を符号１Ａで示し、この毒餌剤容器１Ａと隣り合う別の毒餌剤容器を符号１Ｂで示したとき、毒餌剤容器１Ａと毒餌剤容器とが第１連結部４０で連結されていて、第１連結部４０は毒餌剤容器１Ａの第１嵌合部３１の外周面から毒餌剤容器１Ｂの第１嵌合部３１の外周面まで延びる片状に形成される。第１連結部４０は第１嵌合部３１の径方向に延びる板状をなしており、その厚みは、第１板部１０及び第２板部２０の厚みよりも薄くなっている。また、第１連結部４０における毒餌剤容器１Ａ側と毒餌剤容器１Ｂ側との中間部には、溝４０ａが形成されている。この溝４０ａは、第１連結部４０を折れやすくするための脆弱部である。溝４０ａの代わりに、薄肉部や孔等を形成することによって第１連結部４０の一部に脆弱部を設けることもできる。また、脆弱部は必須ではない。
【００５６】
第２連結部５０は、第２嵌合部３２の基端側部３２ｂの外周面と一体化されている。すなわち、毒餌剤容器１Ａと毒餌剤容器１Ｂとが第２連結部５０でも連結されていて、第２連結部５０は毒餌剤容器１Ａの第２嵌合部３２の基端側部３２ｂの外周面から毒餌剤容器１Ｂの第２嵌合部３２の基端側部３２ｂの外周面まで延びる片状に形成される。第２連結部５０は第１連結部４０と略平行に延びる板状をなしており、その厚みは、第１連結部４０と略同じに設定されている。また、第２連結部５０における毒餌剤容器１Ａ側と毒餌剤容器１Ｂ側との中間部には、第１連結部４０と同様に脆弱部となる溝５０ａが形成されている。
【００５７】
（毒餌剤容器集合体の製造方法）
次に、上記のように構成された毒餌剤容器集合体Ａの製造方法について説明する。まず、図に示すように複数の第１板部１０、１０、…が第１連結部４０で連結された状態の第１構成部材２００（図６に示す）を成形するとともに、図７に示すように複数の第２板部２０、２０、…が第２連結部５０で連結された状態の第２構成部材３００を成形する。第１構成部材２００の各第１板部１０には第１嵌合部３１が一体成形されている。また、第２構成部材３００の各第２板部２０には第２嵌合部３２が一体成形されている。このように、複数の第１板部１０、１０、…が一体化され、また、複数の第２板部２０、２０、…が一体化されているので、製造工程での搬送は容易に行える。
【００５８】
そして、第１構成部材２００の各第１板部１０または第２構成部材３００の各第２板部２０の中央部近傍に害虫用毒餌剤１００を置く。その後、第１構成部材２００と第２構成部材３００とを一体化する。すなわち、第１構成部材２００の各第１板部１０の第１嵌合部３１に、第２構成部材３００の各第２板部２０の第２嵌合部３２を圧入して嵌合させる。圧入する直前において、第１嵌合部３１と第２嵌合部３２とが径方向に多少ずれている場合が考えられるが、第１嵌合部３１の先端面に第１傾斜面３１ａが設けられているので、多少のずれが生じていても、第１傾斜面３１ａに第２嵌合部３２の先端側部３２ａが接触することで、第１傾斜面３１ａによって第１嵌合部３１と第２嵌合部３２との相対的な位置を自動的に調整することができ、嵌合作業を容易に行うことができる。同様に、第２嵌合部３２の先端側部３２ａが先細にされていることによっても、嵌合作業を容易に行うことができる。第１嵌合部３１に第２板部２０の第２嵌合部３２を圧入していくと、第１傾斜面３１ａと第２傾斜面３２ｃとが互いに当接し、これにより圧入が停止する。
【００５９】
以上のようにして第１嵌合部３１に第２嵌合部３２を嵌合させると、第１構成部材２００と第２構成部材３００とが一体化して、毒餌剤容器集合体Ａが得られる。このとき、第１嵌合部３１に第２嵌合部３２を圧入しているので、溶着等は不要であり、製造工程を簡素化できる。また、第１嵌合部３１に第２嵌合部３２を圧入しているので、ガタつきがなくなって支柱部３０全体の強度を十分に確保できる。
毒餌剤容器集合体Ａは、複数の毒餌剤容器１、１、…が一体化しているので、搬送が容易になるとともに、梱包も容易になり、さらに店頭での陳列も容易になる。
【００６０】
（毒餌剤容器の作用効果）
次に、毒餌剤容器１の作用効果について説明する。使用者は、毒餌剤容器集合体Ａを例えば両手で持ち、第１連結部４０及び第２連結部５０を折る方向に力を加えると、第１連結部４０及び第２連結部５０が溝４０ａ、５０ａの形成箇所において折れ、図８に示すように毒餌剤容器１、１、…が分離する。また、使用者によっては、第１連結部４０及び第２連結部５０を引きちぎるように力を加えることも考えられる。
【００６１】
この実施形態では、第１連結部４０及び第２連結部５０が支柱部３０を連結するものなので、分離作業時には第１連結部４０及び第２連結部５０を介して支柱部３０に無理な力が作用することがあるが、支柱部３０は第１板部１０や第２板部２０よりも強度が高いので、亀裂や変形が起こり難く、毒餌剤容器１の損傷を抑制できる。
【００６２】
また、第１連結部４０及び第２連結部５０によって連結される支柱部３０が第１板部１０と第２板部２０との間にあるので、毒餌剤容器１の厚み方向の中間部に位置することになる。従って、使用者が隣り合う毒餌剤容器１、１に対して連結部４０、５０を折るように力を作用させた際に、従来のように厚み方向の両端に連結部がある場合に比べて折れやすくなる。従って、毒餌剤容器１の分離を簡単に行うことができる。
【００６３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６４】
以上説明したように、本発明に係る毒餌剤容器集合体は、例えば匍匐害虫等を駆除する場合に使用することができる。
【符号の説明】
【００６５】
１                害虫用毒餌剤
１０              第１板部
２０              第２板部
３０              支柱部
３１              第１嵌合部
３１ａ            第１傾斜面
３２              第２嵌合部
３２ａ            先端側部
３２ｂ            基端側部
３２ｃ            第２傾斜面
４０              第１連結部
５０              第２連結部
Ａ                毒餌剤容器集合体
Ｓ                開放部
【図１】
2018061450.tif 000003
【図２】
2018061450.tif 000004
【図３】
2018061450.tif 000005
【図４】
2018061450.tif 000006
【図５】
2018061450.tif 000007
【図６】
2018061450.tif 000008
【図７】
2018061450.tif 000009
【図８】
2018061450.tif 000010